【手続補正書】
【提出日】平成16年5月19日(2004.5.19)
【手続補正１】
【補正対象書類名】明細書
【補正対象項目名】発明の名称
【補正方法】変更
【補正の内容】
【発明の名称】無線通信装置及び制御方法
【手続補正２】
【補正対象書類名】明細書
【補正対象項目名】特許請求の範囲
【補正方法】変更
【補正の内容】
【特許請求の範囲】
【請求項１】
画像データを受信する受信手段と、
前記受信手段で受信された画像データのエラー状態を判定する判定手段と、
前記受信手段で受信された画像データを記憶するメモリと、
前記受信手段で受信された画像データ又は前記メモリに記憶された画像データを記録媒体に記録する記録手段
とを有し、
前記受信手段で受信された画像データを前記記録手段に供給するか、前記メモリに記憶された画像データを前記記録手段に供給するかを前記判定手段の判定結果に基づいて選択し、前記メモリに記憶された画像データを前記記録手段に供給する処理を所定期間継続した場合は前記記録手段の記録動作を停止させることを特徴とする無線通信装置。
【請求項２】
前記メモリに記憶された画像データを前記記録手段に供給する処理を所定期間継続した後に前記受信手段で受信された画像データを前記記録手段に供給する処理を開始した場合は前記記録手段の記録動作を開始させることを特徴とする請求項１に記載の無線通信装置。
【請求項３】
前記メモリに記憶された画像データを前記記録手段に供給する処理を所定期間継続した場合は所定の警告を出力することを特徴とする請求項１又は２に記載の無線通信装置。
【請求項４】
前記受信手段で受信された画像データ又は前記メモリに記憶された画像データから得られた画像と共に前記所定の警告を出力することを特徴とする請求項３に記載の無線通信装置。
【請求項５】
前記所定の警告を音声により出力することを特徴とする請求項３に記載の無線通信装置。
【請求項６】
前記受信手段は、スペクトラム拡散通信方式により画像データを受信する受信手段であることを特徴とする請求項１から５の何れか１項に記載の無線通信装置。
【請求項７】
画像データを受信する受信手段と、前記受信手段で受信された画像データのエラー状態を判定する判定手段と、前記受信手段で受信された画像データを記憶するメモリと、前記受信手段で受信された画像データ又は前記メモリに記憶された画像データを記録媒体に記録する記録手段とを有する無線通信装置の制御方法であって、
前記受信手段で受信された画像データを前記記録手段に供給するか、前記メモリに記憶された画像データを前記記録手段に供給するかを前記判定手段の判定結果に基づいて選択する工程と、
前記メモリに記憶された画像データを前記記録手段に供給する処理を所定期間継続した場合は前記記録手段の記録動作を停止させる工程とを有することを特徴とする制御方法。
【請求項８】
前記メモリに記憶された画像データを前記記録手段に供給する処理を所定期間継続した後に前記受信手段で受信された画像データを前記記録手段に供給する処理を開始した場合は前記記録手段の記録動作を開始させる工程をさらに有することを特徴とする請求項７に記載の制御方法。
【請求項９】
前記メモリに記憶された画像データを前記記録手段に供給する処理を所定期間継続した場合は所定の警告を出力する警告出力工程をさらに有することを特徴とする請求項７又は８に記載の制御方法。
【請求項１０】
前記警告出力工程では、前記受信手段で受信された画像データ又は前記メモリに記憶された画像データから得られた画像と共に前記所定の警告を出力することを特徴とする請求項９に記載の制御方法。
【請求項１１】
前記警告出力工程では、前記所定の警告を音声により出力することを特徴とする請求項９に記載の制御方法。
【請求項１２】
前記受信手段は、スペクトラム拡散通信方式により画像データを受信する受信手段であることを特徴とする請求項７から１１の何れか１項に記載の制御方法。
【手続補正３】
【補正対象書類名】明細書
【補正対象項目名】０００１
【補正方法】変更
【補正の内容】
【０００１】
【発明の属する技術分野】
本発明は、画像データを受信する無線通信装置及び制御方法に関する。
【手続補正４】
【補正対象書類名】明細書
【補正対象項目名】０００８
【補正方法】変更
【補正の内容】
【０００８】
本発明は、伝送誤りにより正常に復元することができなかった画像データの記録をできるだけ少なくすることができる無線通信装置及び制御方法を提示することを目的とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
【課題を解決するための手段】
本発明に係る無線通信装置は、画像データを受信する受信手段と、前記受信手段で受信された画像データのエラー状態を判定する判定手段と、前記受信手段で受信された画像データを記憶するメモリと、前記受信手段で受信された画像データ又は前記メモリに記憶された画像データを記録媒体に記録する記録手段とを有し、前記受信手段で受信された画像データを前記記録手段に供給するか、前記メモリに記憶された画像データを前記記録手段に供給するかを前記判定手段の判定結果に基づいて選択し、前記メモリに記憶された画像データを前記記録手段に供給する処理を所定期間継続した場合は前記記録手段の記録動作を停止させることを特徴とする。
【手続補正７】
【補正対象書類名】明細書
【補正対象項目名】００１１
【補正方法】変更
【補正の内容】
【００１１】
本発明に係る制御方法は、画像データを受信する受信手段と、前記受信手段で受信された画像データのエラー状態を判定する判定手段と、前記受信手段で受信された画像データを記憶するメモリと、前記受信手段で受信された画像データ又は前記メモリに記憶された画像データを記録媒体に記録する記録手段とを有する無線通信装置の制御方法であって、前記受信手段で受信された画像データを前記記録手段に供給するか、前記メモリに記憶された画像データを前記記録手段に供給するかを前記判定手段の判定結果に基づいて選択する工程と、前記メモリに記憶された画像データを前記記録手段に供給する処理を所定期間継続した場合は前記記録手段の記録動作を停止させる工程とを有することを特徴とする。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００３５
【補正方法】変更
【補正の内容】
【００３５】
タイマ１５４も、ステータス信号Ｄａｔａ＿Ｓｔａｔｕｓに応じて計時を開始する（Ｓ４）。途中で所定量以上の訂正不能な伝送誤りが無くなることなしに所定時間を経過すると（Ｓ５）、タイマ１５４はタイムアウト信号を発生して、キャラクタ・ジェネレータ１５６と記録再生装置１４６に供給する。キャラクタ・ジェネレータ１５６はタイマ１５４からのタイムアウト信号に応じて、伝送状態が劣悪であることを示す警告文を発生する（Ｓ６）。加算器１５８は、キャラクタ・ジェネレータ１５６により生成された警告文を画像信号処理回路１５０の出力と加算し、モニタ１５２に供給する。モニタ１５２は、警告文と画像信号を重畳して表示する。記録再生装置１４６は、タイマ１５４からのタイムアウト信号に応じて、記録動作を一時停止する（Ｓ６）。本実施例では、キャラクタ・ジェネレータ１５６を用いて警告文を生成したが、音声によって警告を出力するように構成してもよい。
【手続補正１２】
【補正対象書類名】明細書
【補正対象項目名】００３６
【補正方法】変更
【補正の内容】
【００３６】
伝送状態が良くなって、誤り訂正が可能になると（Ｓ２）、スイッチ１４４はａ接点側に接続して伸長処理回路１４０の出力を選択し（Ｓ７）、タイマ１５４は、誤り訂正回路１３６からのステータス信号Ｄａｔａ＿Ｓｔａｔｕｓに応じて計時動作を終了し、タイマ１５４の計数値をクリアする。タイマ１５４が計時動作を終了することで、記録再生装置１４６は記録ポーズを解除され、記録動作を再開する（Ｓ９）。
【手続補正１３】
【補正対象書類名】明細書
【補正対象項目名】００３８
【補正方法】変更
【補正の内容】
【００３８】
【発明の効果】
以上の説明から容易に理解できるように、本発明によれば、伝送誤りにより正常に復元することができなかった画像データの記録をできるだけ少なくすることができる。